(57)【特許請求の範囲】
【請求項１】
複数の端子収容室を備えたハウジングと、該ハウジングに仮係止及び本係止されるリヤホルダとからなり、該リヤホルダの仮係止時に接続端子を前記端子収容室内に係止させてから、前記リヤホルダを本係止させることで接続端子の係止を行うリヤホルダ付きコネクタにおいて、
前記リヤホルダが、側片内側に係止穴と、前下がりの傾斜面を有する係止爪を備え、前記ハウジングの後端部側面に、前記係止穴に係合し全面にテーパ面を有する仮係止突起が設けられると共に、該仮係止突起近傍に、前記係止爪に係合するテーパ状の係止段が設けられ、前記ハウジング後端部上面に、前記リヤホルダを案内する前下がりに傾斜した当接面が設けられ、前記ハウジングと前記リヤホルダが金型内で成形された後、前記金型の一部の移動に伴って、前記リヤホルダが、前記仮係止突起及び前記係止段に当接することにより回動して仮係止されることを特徴とするリヤホルダ付きコネクタ。
【請求項２】
複数の端子収容室を備えたハウジングと、該ハウジングに仮係止及び本係止されるリヤホルダとからなり、該リヤホルダの仮係止時に接続端子を前記端子収容室内に係止させてから、前記リヤホルダを本係止させることで接続端子の係止を行うリヤホルダ付きコネクタの製造方法において、
前記ハウジング及び前記リヤホルダを成形し且つ仮係止する成形仮係止金型が、固定金型と、前記ハウジングの外郭と前記リヤホルダの内郭を形成する第１可動金型と、該第１可動金型を前記ハウジングの軸方向に移動可能に支持する第２可動金型と、前記リヤホルダの外郭を形成する第３可動金型と、前記ハウジングの中心部を形成し且つ保持する第４可動金型とからなり、前記ハウジングと前記リヤホルダが前記金型内で成形された後、前記第２可動金型が前記固定金型から離反され、前記第１可動金型が前記ハウジング後端部を保持する位置まで後退され、前記第３可動金型が該第３可動金型内側に生じた空間に移動されることで、前記リヤホルダの前記係止穴が前記仮係止突起に係合され、前記リヤホルダが該仮係止突起を中心に前倒れに回動され、前記係止爪が前記係止段に係合されると共に前記リヤホルダの裏面が前記当接面に当接されることにより、前記リヤホルダが前記ハウジングに仮係止されることを特徴とするリヤホルダ付きコネクタの製造方法。
【発明の詳細な説明】
【０００１】
【発明の属する技術分野】
本発明は、ハウジング及びリヤホルダが複数の金型内で成形後、金型の移動によりリヤホルダをハウジングに仮係止され、接続端子挿入後に本係止されるリアホルダ付きコネクタ及びその製造方法に関する。
【０００２】
【従来の技術】
従来からリヤホルダ付きコネクタ及びその製造方法に関しては、例えば、特開平８−２５０１８３号公報に開示されているような種々なものが知られている。
図１６乃至図１８に示した従来のリヤホルダ付きコネクタ５１は、複数の端子収容室５３を備えたハウジング５２の両側部に跨るように仮係止及び本係止されるリヤホルダ７０ａ、７０ｂが仮係止位置に保持される。そして、接続端子３２をハウジング５２後端より挿入して端子収容室５３内のハウジングランス８１により係止された後、リヤホルダ７０ａ、７０ｂが本係止位置に係止されることで、接続端子３２の二重係止が行われる。
【０００３】
さらに詳しくは、リヤホルダ７０ａ両側の側片７１には斜め前下がりのガイド穴７２が設けられていると共に、リヤホルダ７０ａの下面前端部には接続端子３２を２次係止するための２次係止突起７３が設けられている。そして、端子収容室５３の中央部上方には２次係止突起７３が仮係止位置から本係止位置に斜め上方から進入可能なように開口５３ａが設けられている。また、ガイド穴７２に係合する上面にテーパ面を有する前下がりのガイドレール５４と該ガイドレール５４の斜め前方に位置する本係止突起５５がハウジング５２の両側面５２ｂに設けられている。
【０００４】
なお、ガイドレール５４と本係止突起５５が突出している両側面５２ｂは前方部の両側面５２ａの全幅より挟く設定されているので、両側面５２ｂにはガイドレール５４と本係止突起５５の下方に平行して突堤５６が両側面５２ａの全幅に等しくなるように設定されている。また、図中下方のリヤホルダ７０ｂは、前述したリヤホルダ７０ａと略同じなので説明を省略する。
【０００５】
上記従来のリヤホルダ付きコネクタ５１においては、ハウジング５２後端部の上方から一方のリヤホルダ７０ａが押し込められると、ガイドレール５４上面にはテーパ面が設けられているから側片７１が両側に撓んでガイド穴７２がガイドレール５４に係合されてリヤホルダ７０ａはハウジング５２に仮係止位置に保持される。また、リヤホルダ７０ｂも同様にハウジング５２に仮係止位置に保持される。
【０００６】
次に、接続端子３２が端子収容室５３の後方から挿入されると、ハウジングランス８１によって１次係止される。そして、リヤホルダ７０ａとリヤホルダ７０ｂを前方へ押圧するとガイド穴７２がガイドレール５４に案内されて側片７１の前端が本係止突起５５を乗り越える。そして、ガイド穴７２の前端部が本係止突起５５に係止されると共に、２次係止突起７３が開口５３ａから端子収容室５３内に進入して接続端子を２次係止する。
【０００７】
ところで、ハウジング５２とリヤホルダ７０ａ、７０ｂを別々に成形して一箇所に集めて組み立てると、組み付け場所への搬送や、組立工程及び検査工程が必要になると共に、それぞれ別々のハウジング５２及びリヤホルダ７０ａ、７０ｂの部品管理も必要になる。
これを改善するものとして、図１９に示した金型によって成形と共に金型内でリヤホルダ７０ａ、７０ｂをハウジング５２に仮係止させる組み付けを行ってから金型外に取り出すリヤホルダ付きコネクタが提案されている。
【０００８】
図１９に示した成形仮係止金型９０は、図示していない固定金型と、上下に移動する第１可動金型９２と、左右に移動する一対の第２可動金型９３、９３と、前後に移動する一対の第３可動金型９４、９４とから構成されている。
図中中央のハウジング５２は、第１可動金型９２及び第２可動金型９３の内側で成形され、リヤホルダ７０ａ、７０ｂは、第１可動金型９２の外側と、第２可動金型９３の内側と、第３可動金型９４の内側とによって成形される。
【０００９】
すなわち、固定金型と可動金型が接合された状態でハウジング５２及びリヤホルダ７０ａ、７０ｂが成形され、その後、第１可動金型９２が引き上げられ、次いで第２可動金型９３、９３が左右に引き離される。これにより、リヤホルダ７０ａ及びリヤホルダ７０ｂとハウジング５２との間に空間ができ、第３可動金型９４、９４がハウジング方向に移動される。そして、リヤホルダ７０ａ、７０ｂのガイド穴７２がハウジング５２のガイドレール５４に係止され、リヤホルダ７０ａ、７０ｂはハウジング５２に仮係止される。そして、第３可動金型９４がハウジング５２から離反されることでリヤホルダ７０ａ、７０ｂが仮係止されたハウジング５２が成形仮係止金型９０から取り出される。
【００１０】
【発明が解決しようとする課題】
しかしながら、上記従来のリヤホルダ付きコネクタ５１においては、リヤホルダ７０ａ、７０ｂをハウジング５２に仮係止及び本係止させるために長穴状のガイド穴７２をガイドレール５４及び本係止突起５５に係止させるため、成形に際して高度な寸法精度が要求される。よって、生産性が低下すると共にコストアップにつながるという問題があった。
また、成形仮係止金型９０の第１可動金型９２は上下方向に、第２可動金型９３は左右方向に、第３可動金型９４は前後方向に移動する必要があるので構造が複雑になるという問題があった。
【００１１】
本発明に係わる課題は、上記問題点に鑑みてなされたものであり、成形に際して高度な寸法精度は要求されず、かつ可動金型の移動方向が少なく安価なリヤホルダ付きコネクタを提供することである。
【００１２】
【課題を解決するための手段】
本発明の上記課題は、以下の１）及び２）項によって解決することができる。
１）複数の端子収容室を備えたハウジングと、該ハウジングに仮係止及び本係止されるリヤホルダとからなり、該リヤホルダの仮係止時に接続端子を前記端子収容室内に係止させてから、前記リヤホルダを本係止させることで接続端子の係止を行うリヤホルダ付きコネクタにおいて、前記リヤホルダが、側片内側に係止穴と、前下がりの傾斜面を有する係止爪を備え、前記ハウジングの後端部側面に、前記係止穴に係合し全面にテーパ面を有する仮係止突起が設けられると共に、該仮係止突起近傍に、前記係止爪に係合するテーパ状の係止段が設けられ、前記ハウジング後端部上面に、前記リヤホルダを案内する前下がりに傾斜した当接面が設けられ、前記ハウジングと前記リヤホルダが金型内で成形された後、前記金型の一部の移動に伴って、前記リヤホルダが、前記仮係止突起及び前記係止段に当接することにより回動して仮係止されることを特徴とするリヤホルダ付きコネクタ。
【００１４】
２）複数の端子収容室を備えたハウジングと、該ハウジングに仮係止及び本係止されるリヤホルダとからなり、該リヤホルダの仮係止時に接続端子を前記端子収容室内に係止させてから、前記リヤホルダを本係止させることで接続端子の係止を行うリヤホルダ付きコネクタの製造方法において、前記ハウジング及び前記リヤホルダを成形し且つ仮係止する成形仮係止金型が、固定金型と、前記ハウジングの外郭と前記リヤホルダの内郭を形成する第１可動金型と、該第１可動金型を前記ハウジングの軸方向に移動可能に支持する第２可動金型と、前記リヤホルダの外郭を形成する第３可動金型と、前記ハウジングの中心部を形成し且つ保持する第４可動金型とからなり、前記ハウジングと前記リヤホルダが前記金型内で成形された後、前記第２可動金型が前記固定金型から離反され、前記第１可動金型が前記ハウジング後端部を保持する位置まで後退され、前記第３可動金型が該第３可動金型内側に生じた空間に移動されることで、前記リヤホルダの前記係止穴が前記仮係止突起に係合され、前記リヤホルダが前記仮係止突起を中心に前倒れに回動され、前記係止爪が前記係止段に係合されると共に前記リヤホルダの裏面が前記当接面に当接されることで、前記リヤホルダが前記ハウジングに仮係止されることを特徴とするリヤホルダ付きコネクタの製造方法。
【００１５】
上記構成のリヤホルダ付きコネクタによれば、リヤホルダが側片内側に係止穴と、前下がりの傾斜面を有する係止爪を備え、ハウジングの後端部側面に係止穴に係合し全面にテーパ面を有する仮係止突起が設けられると共に、該仮係止突起近傍に係止爪に係合するテーパ状の係止段が設けられ、ハウジング後端部上面にリヤホルダを案内する前下がりに傾斜した当接面が設けられ、リヤホルダが仮係止突起及び係止段に当接することにより回動して仮係止される。
従って、リヤホルダのハウジングへの仮係止は、リヤホルダの係止穴と係止爪がハウジングの仮係止突起と係止段に当接すると共に、リヤホルダ裏面が当接面に当接することで回動しながら行われる。即ち、当接面と係止段が比較的長尺な面で係合されながら回動するので、高い寸法精度は必要なく、生産性の向上と共に安価なリヤホルダ付きコネクタを得ることができる。
【００１７】
また、上記構成のリヤホルダ付きコネクタの製造方法によれば、ハウジング及びリヤホルダを成形し且つ仮係止する成形仮係止金型が、固定金型と、ハウジングの外郭とリヤホルダの内郭を形成する第１可動金型と、該第１可動金型をハウジングの軸方向に移動可能に支持する第２可動金型と、リヤホルダの外郭を形成する第３可動金型と、ハウジングの中心部を形成し且つ保持する第４可動金型とからなり、ハウジングとリヤホルダが金型内で成形された後、第２可動金型が固定金型から離反され、ハウジング後端部を保持する位置まで第１可動金型が後退され、第３可動金型が該第３可動金型内側に生じた空間に移動されることで、リヤホルダの係止穴が仮係止突起に係合され、リヤホルダが仮係止突起を中心に前倒れに回動され、係止爪が係止段に係合されると共にリヤホルダの裏面が当接面に当接されることで、リヤホルダがハウジングに仮係止される。
従って、第３可動金型だけが上下動するだけで、第１、第２及び第４可動金型は横方向に移動されるので、比較的簡単な構造及び駆動方式が採れ、生産性の向上と共に安価なリヤホルダ付きコネクタを得ることができる。
【００１８】
【発明の実施の形態】
以下、本発明のリヤホルダ付きコネクタの一実施形態を図１乃至図１１に基づいて詳細に説明する。図１は本発明のリヤホルダ付き雌型コネクタの一実施形態を示す分解斜視図、図２は図１におけるリヤホルダの仮係止状態を示す斜視図、図３は図１におけるハウジングの仮係止突起の拡大部分斜視図、図４は図１におけるリヤホルダの側片部分の拡大部分斜視図、図５は図１におけるリヤホルダの仮係止状態を示す断面図、図６は図１におけるリヤホルダの本係止状態を示す断面図、図７は本発明のリヤホルダ付き雌型コネクタの別の実施形態を示すリヤホルダの仮係止状態の断面図、図８は図７におけるリヤホルダの本係止状態を示す断面図である。
また、図９は本発明のリヤホルダ付き雄型コネクタの一実施形態を示す分解斜視図、図１０は図９におけるリヤホルダの仮係止状態を示す斜視図、図１１は本発明のリヤホルダ付き雄型コネクタの別の実施形態を示すリヤホルダの仮係止状態の断面図、図１２は図１１におけるリヤホルダの本係止状態を示す断面図、図１３は図１乃至図１２におけるリヤホルダ付きコネクタを成形するための成形仮係止金型の射出成形時を示す断面図、図１４は図１３における成形仮係止金型の一部が移動した状態を示す断面図、図１５は図１３における第３可動金型がリヤホルダをハウジングに仮係止した状態を示す断面図である。
【００１９】
先ず、本発明の雌型のリヤホルダ付きコネクタの一実施形態を図１乃至図６に基づいて詳細に説明する。
図１に示すように雌型のリヤホルダ付きコネクタ１は、複数の端子収容室３を備えたハウジング２と、その両側部に跨るように仮係止及び本係止される図中上側のリヤホルダ２０ａと、下側のリヤホルダ２０ｂと、端子収容室３内に挿入される複数の接続端子３０（図５参照）とから構成されている。
【００２０】
さらに詳しくは、図１、図３及び図４に示すようにリヤホルダ２０ａ、２０ｂの側片２１内側に係止穴２２と前下がりの傾斜面を有する係止爪２３を設け、係止穴２２に係合し全面にテーパ面５を有する仮係止突起４がハウジング２の後端部側面２ａに設けられている。
また、この後端部側面２ａに続く後部側面２ｂに係止爪２３に係合し、かつ水平面に対して前下がりの傾斜角α°だけ傾斜したテーパ状の係止段６が設けられている。さらに、ハウジング２の後端部上面にリヤホルダ２０ａ、２０ｂ裏面を保持して案内する前下がりに傾斜した当接面７が設けられている。
【００２１】
また、係止段６の下には、該係止段と平行してガイドレール８が設けられていると共に、該ガイドレールの側面には、本係止手段としての本係止突起１９が設けられている。また、リヤホルダ２０ａ、２０ｂに対応する図中上下の端子収容室３、３の間には横幅Ｂのプロテクトリブ１０が設けられている。この横幅Ｂはリヤホルダ２０ａ、２０ｂの横幅Ａより大きく設定されており、金型内でハウジング２に仮係止されたリヤホルダ２０ａ、２０ｂが金型から放出されて落下しても外れないように保護するものである。
【００２２】
上記構成のリヤホルダ付きコネクタ１においては、成形仮係止金型内で成形されたハウジング２の後部にリヤホルダ２０ａ、２０ｂが後述する可動金型によって押圧されると、係止穴２２が仮係止突起４に係合される。この時、仮係止突起４を中心にリヤホルダ２０ａ、２０ｂが前方に回動され、係止爪２３が係止段６に係合されると共に、リアホルダ２０ａ、２０ｂの裏面が当接面７に当接されることで、図２に示すようにリヤホルダ２０ａ、２０ｂがハウジング２に仮係止される。
【００２３】
次に、本実施形態のリヤホルダ付きコネクタ１への接続端子３０の組み付け手順は、図１及び図５に示すようにリヤホルダ２０ａ、２０ｂを仮係止位置に保持して接続端子３０をハウジング２後端より挿入することで端子収容室３内のハウジングランス３１により係止される。そして、リヤホルダ２０ａ、２０ｂを前方へ押すと、係止爪２３が係止段６に案内されると共に、リヤホルダ２０ａ、２０ｂの裏面も当接面７に案内されて前下がりに前進して、係止穴２２が本係止突起９に係止される。この時、リヤホルダ２０ａ、２０ｂの２次係止突起２４が端子収容室３の中間部分に開いた開口３ａから進入することによって、図６に示すように接続端子３０が二重係止される。
【００２４】
上述したように本実施形態のリヤホルダ付きコネクタ１においては、リヤホルダ２０ａ、２０ｂの側片２１内側に係止穴２２と前下がりの傾斜面を有する係止爪２３を設け、係止穴２２に係合し全面にテーパ面５を有する仮係止突起４がハウジング２の後端部側面２ａに設けられる。また、後端部側面２ａに続く後部側面２ｂに係止爪２３に係合するテーパ状の係止段６を設け、ハウジング２後端部上面にリヤホルダ２０ａ、２０ｂ裏面を保持し案内する前下がりに傾斜した当接面７が設けられている。
従って、リヤホルダ２０ａ、２０ｂをハウジング２に仮係止させるには、係止穴２２が仮係止突起４に係合され、リヤホルダ２０ａ、２０ｂが回動することで、係止爪２３が係止段６に係合されると共にリヤホルダ２０ａ、２０ｂ裏面が当接面７に当接されることによって仮係止される。即ち、係止段６と当接面７が比較的長尺な斜面であり、リヤホルダ２０ａ、２０ｂが係合されながら回動するので、高い寸法精度は必要なく、生産性の向上と共に安価なリヤホルダ付きコネクタを得ることができる。
【００２５】
なお、上記実施形態の雌型のリヤホルダ付きコネクタ１は、接続端子３０がリヤホルダ２０ａ、２０ｂによって二重係止される形態であったが、端子収容室内にハウジングランスを備えてなく、リヤホルダのみによって端子収容室内に係止されるリヤホルダ付きコネクタにも適用することができる。
即ち、リヤホルダ付きコネクタ１Ａへの接続端子３０Ａの組み付けは、図７に示すようにリヤホルダ２０ｃ、２０ｄをハウジング２Ａ側壁の開口３ａに仮係止状態に保持してから、接続端子３０Ａをハウジング２Ａ後端より挿入する。そして、図８に示すようにリヤホルダ２０ｃ、２０ｄが前方へ押されることで、当接面７に案内されて前下がりに前進して端子収容室３内に本係止されるとともに、リヤホルダ２０ｃ、２０ｄの係止突起２４の一部が接続端子３０Ａを後抜けできない状態に係止する。
【００２６】
次に、本発明の雄型のリヤホルダ付きコネクタの一実施形態を図９及び図１０に基づいて説明する。なお、このリヤホルダ付きコネクタ１１の上述したリヤホルダ付きコネクタ１と同一構成の部分には同一符号を付けることにより構成の詳細な説明を省略する。
図９に示すように雄型のリヤホルダ付きコネクタ１１は、複数の端子収容室１３、１４を備えたハウジング１２と、図中上下方向からハウジングの両側部に跨るように仮係止されるリヤホルダ２５ａ、２５ｂと、端子収容室１３、１４内に挿入される複数の接続端子３０（図５参照）とから構成されている。
また、ハウジング１２の一方の端子収容室１３の中間部分にはリヤホルダ２５ａの前端部分が進入する開口１３ａが設けられており、他方の端子収容室１４の中間部分にも図示されていない開口が設けられている。
【００２７】
さらに詳しくは、図中上段のハウジング１２の端子収容室１３は全幅にわたって設けられている（図９中では４個）が、下段の端子収容室１４は中央に嵌合ロック手段１６が有るため中央部分は抜けて設けられている（図９中では２個）。
従って、一方のリヤホルダ２５ａには接続端子を二重係止するための２次係止突起２４が４個設けられているが、他方のリヤホルダ２５ｂには２次係止突起２４が両端に２個設けられており、中央部分は嵌合ロック手段１６との干渉を避けるため空間部２６が設けられている。
【００２８】
また、係止段６の前方側には、リヤホルダ２５ａ、２５ｂをハウジング１２に本係止させるための本係止手段としての本係止段１９が設けられている。この本係止段１９の傾斜角度は、リヤホルダ２５ａ、２５ｂが本係止時に図６に示したように軸心に平行になるので、係止段６の傾斜角α°より小さく設定されている。その他の構成については上述したリヤホルダ付きコネクタ１と同じであり、作用及び効果も同じなので説明を省略する。
【００２９】
なお、上記実施形態の雄型のリヤホルダ付きコネクタ１１は、接続端子がリヤホルダ２５ａ、２５ｂによって二重係止される形態であったが、端子収容室内にハウジングランスを備えてなく、リヤホルダのみによって端子収容室内に係止されるリヤホルダ付きコネクタにも適用することができる。
即ち、リヤホルダ付きコネクタ１１Ａへの雌型の接続端子３２Ａの組み付けは、図１１に示すようにリヤホルダ２５ｃをハウジング１２Ａ側壁の開口１３ａに仮係止状態に保持してから、接続端子３２Ａをハウジング１２Ａ後端より挿入する。そして、図１２に示すようにリヤホルダ２５ｃが前方へ押されることで、当接面７に案内されて前下がりに前進して端子収容室１３内に本係止されるとともに、リヤホルダ２５ｃの係止突起２４の先端部が接続端子３２Ａを後抜けできない状態に係止する。
【００３０】
次に、本発明のリヤホルダ付きコネクタの製造方法の一実施形態を図１３乃至図１５に基づいて詳細に説明する。
図１３に示すようにハウジング２、１２及びリヤホルダ２０ａ、２０ｂ、２５ａ、２５ｂを成形する成形仮係止金型４０は、図示していない湯口を有する固定金型４１と、該固定金型４１に対して移動可能な複数の可動金型４２、４３、４４、４５から構成されている。
【００３１】
前記可動金型は、ハウジング２、１２の外郭とリヤホルダ２０ａ、２０ｂ、２５ａ、２５ｂの内郭を形成すると共に後述する第４可動金型を支持する第１可動金型４２と、該第１可動金型４２をハウジングの軸方向に移動可能に支持すると共に後述する第３可動金型をハウジングの軸方向に対して直角な方向に移動可能に支持する第２可動金型４３と、リヤホルダ２０ａ、２０ｂ、２５ａ、２５ｂの外郭を形成する第３可動金型４４と、ハウジング２、１２の中心部を形成し且つ保持する第４可動金型４５とから構成されている。なお、第１可動金型４２と第２可動金型４３との間には圧縮ばね４６が設けられていて、距離Ｄまで離反されるか押されて当接されるようになっている。
【００３２】
図１３に示すように、固定金型４１と可動金型４２、４３、４４、４５とが接合状態において、図示していない湯口より樹脂材が注入されることでハウジング２、１２とリヤホルダ２０ａ、２０ｂ、２５ａ、２５ｂが金型内で成形される。
次に、図１４に示すように可動金型４２、４３、４４、４５が、固定金型４１から隙間Ｃだけ離反され、同時に第４可動金型４５が成形されたハウジング２、１２後端部を保持する位置、即ち距離Ｄだけ圧縮バネ４６によって第１可動金型４２が後退される。
【００３３】
次に、図１５に示すように、第３可動金型４４内側に生じた空間４７に該第３可動金型４４をハウジング２、１２方向に移動させることで、成形されたリヤホルダ２０ａ、２０ｂ、２５ａ、２５ｂの係止穴２２が仮係止突起４に係合される。このとき、仮係止突起４を中心にリヤホルダ２０ａ、２０ｂ、２５ａ、２５ｂが前倒れに回動され、係止爪２３が係止段６に係合されると共にリヤホルダの裏面が当接面７に当接されることで、リヤホルダ２０ａ、２０ｂ、２５ａ、２５ｂがハウジング２、１２に仮係止される。
【００３４】
そして、リヤホルダ２０ａ、２０ｂ、２５ａ、２５ｂがハウジング２、１２に仮係止状態で成形仮係止金型４０から放出される。このとき、ハウジング２、１２にはリヤホルダ２０ａ、２０ｂ、２５ａ、２５ｂの横幅Ａより大きな横幅Ｂのプロテクトリブ１０が設けられているので、金型から放出されて落下しても仮係止されたリヤホルダ２０ａ、２０ｂ、２５ａ、２５ｂがハウジング２、１２から外れることはない。
【００３５】
上述したように本実施形態の成形仮係止金型４０は、第３可動金型４４だけが図中上下方向に移動されるだけで、第１、第２、第４可動金型４２、４３、４５は、横方向に移動されるので、比較的簡単な構造で生産性の向上が図れると共に安価なリヤホルダ付きコネクタを得ることができる。
また、成形仮係止金型４０の駆動構造及び駆動方法は、例えば第１可動金型４２を固定金型４１方向へ流体圧シリンダ等で押しつけると、図１３に示したように金型閉鎖状態となる。また、第１可動金型４２を固定金型４１から離反させる方向に流体圧シリンダ等により移動させると、圧縮バネ４６の付勢力で第１可動金型４２は第２可動金型４３から距離Ｄだけ引き離された後、第２可動金型４３と第３可動金型４４は、図１４に示したように固定金型４１から隙間Ｃだけ引き離される。そのために、第２可動金型４３を摺動保持させるガイドレール上にストッパを設けることで確実に隙間Ｃ等を設定できる。
【００３６】
また、図１５に示すように第３可動金型４４を上下方向に駆動させるには、流体圧シリンダ等の使用も可能であるが、第２可動金型４３が固定金型４１から隙間Ｃだけ駆動される動きを利用してリンク又はカム機構で容易に駆動させることもできる。従って、上述した成形仮係止金型４０は、従来の成形仮係止金型９０に比べ構造及び駆動方式が簡単であるので、生産性の向上と共に安価なリヤホルダ付きコネクタを得ることができる。
【００３７】
なお、本発明のリヤホルダ付きコネクタは上述した実施形態に限定されるものでなく、適宜な変更を行うことにより他の形態でも実施することができる。例えば、本実施形態の製造方法における成形仮係止金型４０の第３可動金型４４の駆動方向は上下方向であったが、ハウジングの嵌合軸方向に対して直角方向に移動できれば良いので水平方向に移動する形態であっても差し支えない。
【００３８】
【発明の効果】
以上説明したように本発明のリヤホルダ付きコネクタによれば、リヤホルダが、側片内側に係止穴と、前下がりの傾斜面を有する係止爪を備え、ハウジングの後端部側面に、係止穴に係合し全面にテーパ面を有する仮係止突起が設けられると共に、該仮係止突起近傍に、係止爪に係合するテーパ状の係止段が設けられ、ハウジング後端部上面にリヤホルダを案内する前下がりに傾斜した当接面が設けられ、リヤホルダが仮係止突起及び係止段に当接することにより回動して仮係止される。
従って、リヤホルダのハウジングへの仮係止は、リヤホルダの係止穴と係止爪がハウジングの仮係止突起と係止段に当接すると共に、リヤホルダ裏面が当接面に当接することで回動しながら行われる。即ち、当接面と係止段が比較的長尺な面で係合されながら回動するので、高い寸法精度は必要なく、生産性の向上と共に安価なリヤホルダ付きコネクタを得ることができる。
【００４０】
また、上記構成のリヤホルダ付きコネクタの製造方法によれば、ハウジング及びリヤホルダを成形し且つ仮係止する成形仮係止金型が、固定金型と、ハウジングの外郭とリヤホルダの内郭を形成する第１可動金型と、該第１可動金型をハウジングの軸方向に移動可能に支持する第２可動金型と、リヤホルダの外郭を形成する第３可動金型と、ハウジングの中心部を形成し且つ保持する第４可動金型とからなり、ハウジングとリヤホルダが金型内で成形された後、第２可動金型が固定金型から離反され、ハウジング後端部を保持する位置まで第１可動金型が後退され、第３可動金型が該第３可動金型内側に生じた空間に移動されることで、リヤホルダの係止穴が仮係止突起に係合され、リヤホルダが仮係止突起を中心に前倒れに回動され、係止爪が係止段に係合されると共にリヤホルダの裏面が当接面に当接されることで、リヤホルダがハウジングに仮係止される。
従って、第３可動金型だけが上下動するだけで、第１、第２及び第４可動金型は横方向に移動されるので、比較的簡単な構造及び駆動方式が採れ、生産性の向上と共に安価なリヤホルダ付きコネクタを得ることができる。
【図面の簡単な説明】
【図１】本発明のリヤホルダ付きコネクタの内の雌コネクタの一実施形態を示す分解斜視図である。
【図２】図１におけるリヤホルダの仮係止状態を示す斜視図である。
【図３】図１におけるハウジングの仮係止突起周りの拡大斜視図である。
【図４】図１におけるリヤホルダの側片周りの拡大斜視図である。
【図５】図２における断面図である。
【図６】図５におけるリヤホルダの本係止状態を示す断面図である。
【図７】本発明のリヤホルダ付き雌型コネクタの別の実施形態を示すリヤホルダの仮係止状態の断面図である。
【図８】図７におけるリヤホルダの本係止状態を示す断面図である。
【図９】本発明のリヤホルダ付きコネクタの内の雄コネクタの一実施形態を示す分解斜視図である。
【図１０】図９におけるリヤホルダの仮係止状態を示す斜視図である。
【図１１】本発明のリヤホルダ付き雄型コネクタの別の実施形態を示すリヤホルダの仮係止状態の断面図である。
【図１２】図１１におけるリヤホルダの本係止状態を示す断面図である。
【図１３】リヤホルダ付きコネクタを成形するための成形仮係止金型の成形時を示す断面図である。
【図１４】図１３における成形仮係止金型の開いた状態を示す作動説明図である。
【図１５】図１４におけるリヤホルダのハウジングへの仮係止を示す作動説明図である。
【図１６】従来のリヤホルダ付きコネクタの一例を示す分解斜視図である。
【図１７】図１６におけるリヤホルダの仮係止状態を示す断面図である。
【図１８】図１７におけるリヤホルダの本係止状態を示す断面図である。
【図１９】図１６におけるリアホルダ付きコネクタの成形後にリヤホルダをハウジングへ仮係止させる金型の部分斜視図である。
【符号の説明】
１、１Ａ、１１、１１Ａ  リヤホルダ付きコネクタ
２、２Ａ、１２、１２Ａ  ハウジング
２ａ  後端部側面
２ｂ  後部側面
３、１３、１４  端子収容室
４    仮係止突起
５    テーパ面
６    係止段
７    当接面
２０ａ、２０ｂ、２０ｃ、２５ａ、２５ｂ、２５ｃ  リヤホルダ
２１    側片
２２    係止穴
２３    係止爪
２４    係止突起
３０、３０Ａ、３２Ａ  接続端子
４０    成形仮係止金型
４１    固定金型
４２    第１可動金型
４３    第２可動金型
４４    第３可動金型
４５    第４可動金型
４７    空間
【図１】
0003690788.tif 000002
【図２】
0003690788.tif 000003
【図３】
0003690788.tif 000004
【図４】
0003690788.tif 000005
【図５】
0003690788.tif 000006
【図６】
0003690788.tif 000007
【図７】
0003690788.tif 000008
【図８】
0003690788.tif 000009
【図９】
0003690788.tif 000010
【図１０】
0003690788.tif 000011
【図１１】
0003690788.tif 000012
【図１２】
0003690788.tif 000013
【図１３】
0003690788.tif 000014
【図１４】
0003690788.tif 000015
【図１５】
0003690788.tif 000016
【図１６】
0003690788.tif 000017
【図１７】
0003690788.tif 000018
【図１８】
0003690788.tif 000019
【図１９】
0003690788.tif 000020